(57)【特許請求の範囲】
【請求項１】
屋外施設の左右両翼の上部を覆った状態で配置されるとともに、両端に設けられた脚部が前記屋外施設の外側に屋外施設を挟んで固定設置される一対の固定屋根と、
前記屋外施設の外側に前記屋外施設を挟んで設置される支持躯体及び支持地盤と、
前記支持躯体の上部に設置されるガイドレールと、前記支持地盤に設けられた凹部内に設置されるガイドレールと、
前記各固定屋根の上部に積層状態で配置されるとともに、上部に屋根膜が張設され、かつ両端に設けられた脚部が前記両ガイドレールに移動可能に支持される可動屋根と、
前記支持地盤の凹部の開口縁部に設置され、前記可動屋根の脚部の固定時には前記凹部の開口部を閉塞し、前記可動屋根の脚部の移動時には前記凹部を囲うブリッジとを備えていることを特徴とする既存屋外施設の移動式屋根の構造。
【発明の詳細な説明】
【０００１】
【発明の属する技術分野】
本発明は、野球場スタジアムなどのような既存の屋外施設に適用され、施設利用を中断することなく移動式屋根を施工することが可能な既存屋外施設の移動式屋根の構造に関する。
【０００２】
【従来の技術】
既存の野球場や、サッカースタジアム、その他の競技場施設にあっては、例えば、後楽園球場や福岡ドーム球場のようなものは別として、一般に屋外施設となっており、雨天など天候による試合の開催中止により、施設の利用効率への影響を大きく受けやすい。
【０００３】
そこで、このような既存の屋外競技場施設にも、開閉式の屋根構造を持った大規模構造物としてリニューアルすることが提案されている。なお、開閉式とするのは、屋根開放時において、在来の屋外施設固有の利点である開放感が得られるためである。
【０００４】
しかしながら、この既存施設に屋根を施工するにあたっては、以下に述べる種々の問題が生ずる。
【０００５】
【発明が解決しようとする課題】
まず、屋根を掛ける部分及びその周縁の施設は施工エリアとなり、工事期間中は、施設の利用が不可能となる。また、広大な場所に極めて大規模な屋根を掛けるために、仮設工事もかなり大がかりなものとなる。
【０００６】
さらに屋根を可動とするためには、施工の複雑さから工期が延びてしまい、施設の利用への影響が大きくなり、施設の利用がある期間不可能となるため、その原因となる建設工事自体がマイナス要素となる。
【０００７】
なお、例えばプロ野球では、一年の間で４〜１０月頃までがペナントレースを開催し、１１〜３月まではオフシーズンとしているため、このオフシーズン（約５ヶ月間）の間施設利用を一時停止し、その間に急速施工できればよいが、前述のごとく極めて大規模な屋根を掛けるため、現実的ではない。
【０００８】
本発明は、以上の問題点に鑑みなされたものであって、その目的は、利用客への安全性、快適性を十分に確保しつつ通年で屋根掛工事を可能とした、既存屋外施設の移動式屋根の構造を提供するものである。
【０００９】
【課題を解決するための手段】
以上の目的を達成するため、本発明は、屋外施設の左右両翼の上部を覆った状態で配置されるとともに、両端に設けられた脚部が前記屋外施設の外側に屋外施設を挟んで固定設置される一対の固定屋根と、前記屋外施設の外側に前記屋外施設を挟んで設置される支持躯体及び支持地盤と、前記支持躯体の上部に設置されるガイドレールと、前記支持地盤に設けられた凹部内に設置されるガイドレールと、前記各固定屋根の上部に積層状態で配置されるとともに、上部に屋根膜が張設され、かつ両端に設けられた脚部が前記両ガイドレールに移動可能に支持される可動屋根と、前記支持地盤の凹部の開口縁部に設置され、前記可動屋根の脚部の固定時には前記凹部の開口部を閉塞し、前記可動屋根の脚部の移動時には前記凹部を囲うブリッジとを備えていることを特徴とする。
【００１０】
本発明による既存屋外施設の移動式屋根の構造によれば、一旦固定屋根が完成した後は、これを構台として順次その上部に可動屋根工事を実施できるため、架設工事などによる施設の占有がなく、利用客に対する十分な安全を確保した上で工事を持続できる。
また、可動屋根の脚部の固定時においては、ブリッジによって凹部の開口部を閉塞し、可動屋根の脚部の移動時においては、ブリッジによって凹部を囲っているので、屋外施設に出入りする人々の安全性を確保することができる。
【００１３】
【発明の実施の形態】
以下、本発明の好ましい実施の形態につき、添付図面を参照して詳細に説明する。
【００１４】
図１〜図７は、本発明による既存屋外施設の移動式屋根の構造の一実施の形態が示されていて、図１構想を示す説明用姿図、図２は構想を示す説明用平面図、図３は施工手順の一例を示す工程説明図、図４は竣工状態における全開状態の平面図、図５は竣工状態における全閉状態の平面図、図６は全開状態における正面姿図、図７はガイドレール及びその支持構造を示す部分断面図である。
すなわち、この既存屋外施設の移動式屋根の構造は、既存野球場１に適用したものであって、改修工事対象である既存野球場１は、ゲート２を外野側中央に設け、図中矢印に示すごとくゲート２を通過した利用客は、外野席側からなめらかに連続するスロープを歩きながら指定された席まで移動できる構造の建物である。
【００１５】
この野球場１の左右両翼にそれぞれ外野側及び内野側にかけて連続し、その両端の一対の脚部３を、野球場１の外側部に固定設置される一対の固定屋根４が配置され、各固定屋根４上にはこれとほぼ同一面積の中段可動屋根５及び上段可動屋根６が積層状態に配置される。
【００１６】
そして、各可動屋根５、６の両側の一対の脚部７、８は野球場１外の外野側地表部及び内野側外部に配置された支持躯体１１にそれぞれ設けられたガイドレール９、１０に沿って扇形に移動可能であり、図１の状態から各可動屋根５、６をガイドレール９、１０に沿って野球場１の中央側に向けて移動させ、中央で合致させることによって、図２に破線で示すように、野球場１の上部全体を覆うことができる。
【００１７】
なお、全開状態では基本的に固定屋根４の面積分だけ野球場１の左右両翼上部が覆われることになるが、基本的には屋外施設としての開放感を享有している。また全閉状態であっても、矢印に示すように、左右両翼から、外の景色、自然などを十分に見通せることになる。また各屋根４、５、６の脚部の高さは十分にとってあり、野球場１全体が覆われても周囲の見通しを十分に確保できる。
【００１８】
図３は、本発明の既存屋外施設の移動式屋根の構造の施工手順の一例を示す工程説明図であり、図の向って左側から順次施工が行われる。
【００１９】
この工事スケジュールは、プロ野球スケジュールにリンクして行われ、例えば、１９９６年から工事が始ると仮定すると、ペナントレース開幕中の後期９，１０月中にかけて基礎工事が行われ、野球場１の施設に影響を与えない範囲の工事、各種資材、機材などの準備、工事許認可の取得がなされる。
【００２０】
次いで、第一回目シーズンオフ期間である１９９６年１１月〜１９９７年３月間での５ヶ月の間に固定屋根４を構成する鉄骨屋根建て方工事、可動レール躯体工事が行われる。
【００２１】
まず、固定屋根４の支持部を構成する躯体工事と平行して固定屋根部工事のための仮設構台の組立がなされ、これが終ると固定屋根４の鉄骨建方工事が行われ、また、この工事進捗に伴い落下防止養生がなされる。
【００２２】
鉄骨建方終了後仮設構台の撤去作業が行われ、落下養生のための中段サポートがセットされる。また、地表部では次工程における可動レール部のための支持地盤工事（外野側）、及び支持躯体１１の工事（内野側）が行われる。
【００２３】
この第一の工事終了後、１９９７年４月よりペナントレースが再開され、利用客は、左右両翼に位置する固定屋根４の下で安全にゲームを観戦することができ、フランチャイズ球場としての利用が可能となる。
【００２４】
このペナントレース期間中には、可動屋根鉄骨建方工事及び、可動レール及び台車設置工事がなされる。
【００２５】
まず固定屋根４を構成する鉄骨組上にはこれを構台として可動屋根５及び６を構成する鉄骨建方が行われる。これと平行して、内外野のレール支持躯体１１及び地盤にはレール設置工事が行われる。可動屋根鉄骨が完成する毎にそれぞれのレールに台車がセットされ、サポート盛替えなどが行われる。勿論、この工事スケジュールはゲームスケジュールに合わせて行われ、ゲームのない日、時間帯を選んで工事を進捗させることができ、ペナントレースがほぼ完全に終了する１１月の初旬には、可動屋根５，６を構成する鉄骨組は積層されている状態から移動可能な状態となる。
【００２６】
ペナントレース終了後の第二回シーズンオフである１１月翌年３月にかけてはまず上段の可動屋根鉄骨の上部に屋根膜を張設し、上段可動屋根６が完成すると、これを移動させて、中段可動屋根鉄骨表面を露出させて屋根膜を張設し、中段可動屋根５が完成すると、これを移動させて固定屋根鉄骨表面を露出させて屋根膜を張設して固定屋根４を完成させる。その後は、仕上げ工事及屋根駆動のためのシステム調整、確認を行い、竣工、引渡しを行う。従って４月のペナントレースが開催された時点では新装されたドーム屋根球場による開幕戦を楽しむことができる。
【００２７】
図４、５及び図６は完成後の球場の形態変化を示すもので、晴天時などにおいては、図４及び図６に示すように、固定屋根４上に可動屋根５、６を設置したままの状態にすることにより、野球場の縦横前後面は全開状態となり、ゲーム内容を楽しみつつ野外に開放された風景を楽しむこともできる。
【００２８】
また、雨天での試合や、ゲーム途中で降雨があった場合には、図５に示すように可動屋根５、６を順次旋回させ、可動屋根６同士を野球場１の上部中心線上に合致させることによって野球場１の全体を覆うことができる。
【００２９】
なお、この可動屋根５、６の旋回中においては、外野側の地表に配置された可動屋根移動用レールの配置個所では旋回動作による入場者との思わぬ接触事故などを防止する必要がある。それ故、本発明では、図７に示すように、レール９を地盤Ｅ内に予め施工された地下連続壁２０の上部であって、地下部に配置し、脚部７、８を移動可能に支持するとともに、固定時においては、地表部に配置された一対のブリッジ２１で脚部７、８の周囲を通行できるようにしておき、移動動作時においては、ブリッジ２１をはね上げる方式が採用される。このはね上げられたブリッジ２１は野球場１に出入りする人々の通行止めとして安全性を十分に確保できる。
【００３０】
なお、本発明は、既存の野球場のみでなく、サッカー場、陸上競技場その他スポーツ競技に使用する既存の屋外施設一般に適用できることは勿論である。
【００３１】
【発明の効果】
以上の説明により明らかなように、本発明に係る既存屋外施設の移動式屋根の構造にあっては、一旦固定屋根が完成した後は、これを構台として順次その上部に可動屋根工事を実施できるため、仮設工事などによる施設の占有がなく、利用客に対する十分な安全を確保した上で工事を持続できる。また、可動屋根の脚部の固定時においては、ブリッジによって凹部の開口部を閉塞し、可動屋根の脚部の移動時においては、ブリッジによって凹部を囲っているので、屋外施設に出入りする人々の安全性を確保することができる。
【図面の簡単な説明】
【図１】本発明の構想を示す説明用姿図である。
【図２】同平面である。
【図３】本発明の施工手順の一例を示す工程説明図である。
【図４】同竣工状態における全開状態の平面図である。
【図５】同全閉状態の平面図である。
【図６】同全開状態における正面姿図である。
【図７】ガイドレール及びその支持構造を示す部分断面図である。
【符号の説明】
１  既存野球場
３、７、８  脚部
４  固定屋根
５、６  可動屋根
９、１０  ガイドレール
【図１】
0003772394.tif 000002
【図２】
0003772394.tif 000003
【図３】
0003772394.tif 000004
【図４】
0003772394.tif 000005
【図５】
0003772394.tif 000006
【図６】
0003772394.tif 000007
【図７】
0003772394.tif 000008